【手続補正書】
【提出日】平成19年8月16日(2007.8.16)
【手続補正１】
【補正対象書類名】明細書
【補正対象項目名】特許請求の範囲
【補正方法】変更
【補正の内容】
【特許請求の範囲】
【請求項１】 流路中に、上流側と下流側に一定の距離を離して配設され、かつ送信側にも受信側にも働く少なくとも一対の超音波送受波器を設け、流体中を順方向と逆方向に超音波の送受信を行い、各方向の超音波の伝播時間に基づいて流量を求める超音波流量計であって、
伝播時間を測定するための基準クロックを発生する基準クロック発振器の発振をオン・オフできるようにし、
基準クロックと周期が異なる第２のクロックを有し、
毎回の超音波の送信は、先ず第２のクロックに同期して基準クロック発振器の発振をオンし、その時点から一定時間後に超音波の送信を行うようにし、
前記一定時間を第２のクロックのクロック数で定めるようにし、該クロック数を毎回の送信毎に変化させるようにし、
毎回伝播時間測定後に基準クロック発振器の発振をオフするようにしたもので、
第２のクロックの周期が基準クロックの周期の整数倍にならないように前記第２のクロックと基準クロックの周波数を定めたことを特徴とする超音波流量計。
【請求項２】 第２のクロックの周期の一定整数倍（ｍ倍）が基準クロックの周期の整数倍に近くなるように第２のクロックと基準クロックの周波数を定め、順方向と逆方向の両方向に対して前記一定時間を基準クロック発振器の発振をオンしてから発振が安定するまでの第２のクロックのクロック数を超えるクロック数で第２のクロック数＋１から第２のクロック数＋ｍまでのｍ段階用意し、連続するｍ回の伝播時間測定でそれぞれ１回ずつ全段階を実行するようにしたことを特徴とする請求項１記載の超音波流量計。
【請求項３】流路中に、上流側と下流側に一定の距離を離して配設され、かつ送信側にも受信側にも働く少なくとも一対の超音波送受波器を設け、流体中を順方向と逆方向に超音波の送受信を行い、各方向の超音波の伝播時間に基づいて流量を求める超音波流量計であって、
順方向又は逆方向の測定毎に、先ず送信側の送受波器から超音波を送信し、受信側の送受波器がこれを受信すると再び送信側の送受波器から超音波を送信するようにして、こうした送受信を一定の複数回（ｎ回）繰り返すように構成し、最初の送信から一定の複数回（ｎ回）目までの総伝播時間を測定し、この総伝播時間に基づいて流量を求めるもので、
総伝播時間を測定するための基準クロックを発生する基準クロック発振器の発振をオン・オフできるようにし、
基準クロックと周期が異なる第２のクロックを有し、
超音波の送信方向を反転させる毎に、先ず第２のクロックに同期して基準クロック発振器の発振をオンし、その時点から一定時間後に超音波の前記最初の送信を行うようにし、
前記一定時間を第２のクロックのクロック数で定めるようにし、該クロック数を、超音波の送信方向を反転させる毎に変化させるようにし、
毎回総伝播時間測定後に基準クロック発振器の発振をオフするようにしたもので、
第２のクロックの周期が基準クロックの周期の整数倍にならないように前記第２のクロックと基準クロックの周波数を定めたことを特徴とする超音波流量計。
【請求項４】第２のクロックの周期の一定整数倍（ｍ倍）が基準クロックの周期の整数倍に近くなるように第２のクロックと基準クロックの周波数を定め、順方向と逆方向の両方向に対して前記一定時間を基準クロック発振器の発振をオンしてから発振が安定するまでの第２のクロックのクロック数を超えるクロック数で第２のクロック数＋１から第２のクロック数＋ｍまでのｍ段階用意し、連続するｍ回の伝播時間測定でそれぞれ１回ずつ全段階を実行するようにしたことを特徴とする請求項３記載の超音波流量計。
【請求項５】基準クロック発振器の発振をオンした後、順方向と逆方向の測定をほとんど連続して測定するようにしたもので、基準クロック発振器の発振をオンしてからの一定時間を短長二つ用意し、一方向の測定は短い一定時間後に超音波の送信を行うようにし、他方向の測定は長い一定時間後に超音波の送信を行うようにし、
毎回伝播時間測定後に基準クロック発振器の発振をオフする代わりに、前記他方向の測定後に基準クロック発振器の発振をオフするようにし、
前記長い一定時間を伝播時間の最大値より大きく定めたことを特徴とする請求項１，２、３又は４記載の超音波流量計。
【請求項６】請求項１乃至５の何れか１項の超音波流量計で求めた流量を積算して積算流量を求めることを特徴とする超音波流量計。
【手続補正２】
【補正対象書類名】明細書
【補正対象項目名】０００２
【補正方法】変更
【補正の内容】
【０００２】
【従来の技術】
図６示すように流路１中に、上流側と下流側に距離Ｌを離して配設され、かつ送信側にも受信側にも切替可能な一対の超音波送受波器２と３を設け、一方の送受波器２を送信側として用いて超音波パルスを流速Ｖと同じ順方向に送信し、他方の送受波器３を受信側として超音波パルスを受信したときの超音波の順方向伝播時間ｔ1 と、前記他方の送受波器３を送信側として用いて超音波パルスを流速Ｖと逆の逆方向に送信し、前記一方の送受波器２を受信側として超音波パルスを受信したときの超音波の逆方向伝播時間ｔ2 とに基づいて流体の流速さらに流量を求める超音波流量計が公知である。
【手続補正３】
【補正対象書類名】明細書
【補正対象項目名】００１３
【補正方法】変更
【補正の内容】
【００１３】
【課題を解決するための手段】
前記目的を達成するために、請求項１の発明は、流路中に、流路中に、上流側と下流側に一定の距離を離して配設され、かつ送信側にも受信側にも働く少なくとも一対の超音波送受波器を設け、流体中を順方向と逆方向に超音波の送受信を行い、各方向の超音波の伝播時間に基づいて流量を求める超音波流量計であって、
伝播時間を測定するための基準クロックを発生する基準クロック発振器の発振をオン・オフできるようにし、
基準クロックと周期が異なる第２のクロックを有し、
毎回の超音波の送信は、先ず第２のクロックに同期して基準クロック発振器の発振をオンし、その時点から一定時間後に超音波の送信を行うようにし、
前記一定時間を第２のクロックのクロック数で定めるようにし、該クロック数を毎回の送信毎に変化させるようにし、
毎回伝播時間測定後に基準クロック発振器の発振をオフするようにしたもので、
第２のクロックの周期が基準クロックの周期の整数倍にならないように前記第２のクロックと基準クロックの周波数を定めたことを特徴とする超音波流量計である。
【手続補正４】
【補正対象書類名】明細書
【補正対象項目名】００２８
【補正方法】変更
【補正の内容】
【００２８】
請求項３の発明は、流路中に、上流側と下流側に一定の距離を離して配設され、かつ送信側にも受信側にも働く少なくとも一対の超音波送受波器を設け、流体中を順方向と逆方向に超音波の送受信を行い、各方向の超音波の伝播時間に基づいて流量を求める超音波流量計であって、
順方向又は逆方向の測定毎に、先ず送信側の送受波器から超音波を送信し、受信側の送受波器がこれを受信すると再び送信側の送受波器から超音波を送信するようにして、こうした送受信を一定の複数回（ｎ回）繰り返すように構成し、最初の送信から一定の複数回（ｎ回）目までの総伝播時間を測定し、この総伝播時間に基づいて流量を求めるもので、
総伝播時間を測定するための基準クロックを発生する基準クロック発振器の発振をオン・オフできるようにし、
基準クロックと周期が異なる第２のクロックを有し、
超音波の送信方向を反転させる毎に、先ず第２のクロックに同期して基準クロック発振器の発振をオンし、その時点から一定時間後に超音波の前記最初の送信を行うようにし、
前記一定時間を第２のクロックのクロック数で定めるようにし、該クロック数を、超音波の送信方向を反転させる毎に変化させるようにし、
毎回総伝播時間測定後に基準クロック発振器の発振をオフするようにしたもので、
第２のクロックの周期が基準クロックの周期の整数倍にならないように前記第２のクロックと基準クロックの周波数を定めたことを特徴とするものである。
【手続補正５】
【補正対象書類名】明細書
【補正対象項目名】００２９
【補正方法】変更
【補正の内容】
【００２９】
この発明では、順方向と逆方向について、夫々連続してｎ回ずつ送受信を繰り返し、ｎ回の送受信の第１回目の送信から第ｎ回目の受信までの、順方向と逆方向についての総伝播時間を測定するため、これだけで実質的に１／ｎの分解能に向上できる。
請求項４の発明は、請求項３記載の超音波流量計において、第２のクロックの周期の一定整数倍（ｍ倍）が基準クロックの周期の整数倍に近くなるように第２のクロックと基準クロックの周波数を定め、順方向と逆方向の両方向に対して前記一定時間を基準クロック発振器の発振をオンしてから発振が安定するまでの第２のクロックのクロック数を超えるクロック数で第２のクロック数＋１から第２のクロック数＋ｍまでのｍ段階用意し、連続するｍ回の伝播時間測定でそれぞれ１回ずつ全段階を実行するようにしたことを特徴とするものである。
【手続補正６】
【補正対象書類名】明細書
【補正対象項目名】００３０
【補正方法】変更
【補正の内容】
【００３０】
請求項５発明は、請求項１，２，３又は４の超音波流量計において、基準クロック発振器の発振をオンした後、順方向と逆方向の測定をほとんど連続して測定するようにしたもので、基準クロック発振器の発振をオンしてからの一定時間を短長二つ用意し、一方向の測定は短い一定時間後に超音波の送信を行うようにし、他方向の測定は長い一定時間後に超音波の送信を行うようにし、
毎回伝播時間測定後に基準クロック発振器の発振をオフする代わりに、前記他方向の測定後に基準クロック発振器の発振をオフするようにし、
前記長い一定時間を伝播時間の最大値より大きく定めたことを特徴とするものである。
【手続補正７】
【補正対象書類名】明細書
【補正対象項目名】００３２
【補正方法】変更
【補正の内容】
【００３２】
請求項６の発明は、請求項１乃至５の何れか１項の超音波流量計で求めた流量を積算して積算流量を求めることを特徴とする超音波流量計である。
【手続補正８】
【補正対象書類名】明細書
【補正対象項目名】００３３
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】変更
【補正の内容】
【００３６】
【発明の実施の形態】
次に本発明の好ましい実施の形態を図３の実施例に従って説明する。
【手続補正１２】
【補正対象書類名】明細書
【補正対象項目名】００５１
【補正方法】変更
【補正の内容】
【００５１】
そして、請求項６の超音波流量計で積算流量を求めるときは、請求項１〜５の超音波流量計で流速さらに流量を求める場合のように測定毎に表示あるいは出力する流量値の精度を確保する必要がなく、積算値レベルでの精度が得られれば良い。そのため、１回１回の測定精度が多少悪くても、積算した値で実用的な精度が確保できればよい。
【手続補正１３】
【補正対象書類名】明細書
【補正対象項目名】００５５
【補正方法】変更
【補正の内容】
【００５５】
そして、請求項６の発明では、より一層の効果が期待できる。